(57)【要約】      （修正有）【課題】  簡易な手順で梱包箱に品物を梱包できる品物梱包方法と品物梱包装置と品物梱包プログラムとを提供する。【解決手段】  従来の梱包箱に品物を梱包するための品物梱包方法にかわって、品物の完成検査を行なって合格を判定すると品物に対応する情報である品物情報を生成する完成検査工程と、前記品物情報に対応する展開部品を製作するためのデータである展開データを生成する展開データ生成工程と、前記展開データに基づいて板状材料から展開部品を製作する展開部品製作工程と、展開部品を組み立てて梱包箱を製作する梱包箱製作工程と、品物を梱包箱に梱包する品物梱包工程とを備える。【選択図】図１
2006248575.tif 000002
【特許請求の範囲】
【請求項１】
展開した展開部品を組み立てて造られた梱包箱に品物を梱包するための品物梱包方法であって、
品物の完成検査を行なって合格を判定すると品物に対応する情報である品物情報を生成する完成検査工程と、
前記品物情報に対応する展開部品を製作するためのデータである展開データを生成する展開データ生成工程と、
前記展開データに基づいて板状材料から展開部品を製作する展開部品製作工程と、
展開部品を組み立てて梱包箱を製作する梱包箱製作工程と、
品物を梱包箱に梱包する品物梱包工程と、
を備えることを特徴とする品物梱包方法。
【請求項２】
前記品物情報に対応する印字をラベルに印刷するためのデータである印字データを生成する印字データ生成工程と、
前記印字データに基づいてラベルに印刷するラベル印刷工程と、
前記ラベルを梱包箱に貼るラベル貼り工程と、
を備えることを特徴とする請求項１に記載の品物梱包方法。
【請求項３】
板状材料を前記展開データに基づいて所定の形状に切断できるカッティング用プロッタを準備する準備工程を、
備え、
前記展開データが板状材料を切断して展開部品を切り出す為に前記カッティング用プロッタに入力されるデータであり、
前記展開部品製作工程で前記展開データを前記カッティング用プロッタに入力する、
ことを特徴とする請求項１に記載の品物梱包方法。
【請求項４】
前記展開データに基づいて板状材料の複数の種類の中から選択された一つの種類を表示する板状材料種類表示方法と、
備え、
前記展開部品製作工程で前記一つの種類の板状材料を切断して展開部品を製作する、
ことを特徴とする請求項１に記載の品物梱包方法。
【請求項５】
展開した展開部品を組み立てて造られた梱包箱に品物を梱包するための品物梱包装置であって、
品物の完成検査を行なって合格を判定された品物に対応する情報である品物情報を生成する完成検査結果生成機器と、
前記品物情報に対応する展開部品を製作するためのデータである展開データを生成する展開データ生成機器と、
前記展開データに基づいて板状材料から展開部品を製作する展開部品製作機器と、
を備えることを特徴とする品物梱包装置。
【請求項６】
前記品物情報に対応する印字をラベルに印刷するためのデータである印字データを生成する印字データ生成機器と、
前記印字データに基づいてラベルに印刷するラベル印刷機器と、
を備えることを特徴とする請求項５に記載の品物梱包装置。
【請求項７】
前記展開部品製作機器が前記展開データに基づき板状材料を所定の形状に切断できるカッティング用プロッタを有し、
前記展開データが板状材料を切断して展開部品を切り出す為に前記カッティング用プロッタに入力されるデータである、
ことを特徴とする請求項５に記載の品物梱包装置。
【請求項８】
前記展開データに基づいて板状材料の複数の種類の中から選択された一つの種類を表示する板状材料種類表示機器を、
備え、
前記展開部品製作機器が前記一つの種類の板状材料を切断して展開部品を製作する、
ことを特徴とする請求項５に記載の品物梱包装置。
【請求項９】
展開した展開部品を組み立てて造られた梱包箱に品物を梱包するための品物梱包プログラムであって、
コンピュータに、
品物の完成検査を行なって合格を判定された品物に対応する情報である品物情報を生成する完成検査結果生成機能と、
前記品物情報に対応する展開部品を製作するためのデータである展開データを生成する展開データ生成機能と、
前記展開データに基づいて板状材料から展開部品を製作する展開部品製作機能と、
を実現させることを特徴とする品物梱包プログラム。
【請求項１０】
前記品物情報に対応する印字をラベルに印刷するためのデータである印字データを生成する印字データ生成機能と、
前記印字データに基づいてラベルに印刷するラベル印刷機能と、
を実現させることを特徴とする請求項９に記載の品物梱包プログラム。
【請求項１１】
前記展開部品製作機能が前記展開データに基づき板状材料を所定の形状に切断できるカッティング用プロッターを制御する機能であって、
前記展開データが板状材料を切断して展開部品を切り出す為に前記カッティング用プロッタに入力されるデータである、
ことを特徴とする請求項９に記載の品物梱包プログラム。
【請求項１２】
前記展開データに基づいて板状材料の複数の種類の中から選択された一つの種類を表示する板状材料種類表示機能を、
実現させ、
前記展開部品製作機能が前記一つの種類の板状材料を切断して展開部品を製作する、
ことを特徴とする請求項９に記載の品物梱包プログラム。
【発明の詳細な説明】
【技術分野】
【０００１】
本発明は、展開した展開部品を組み立てて造られた梱包箱に品物を梱包する品物梱包方法と品物梱包装置と品物梱包プログラムとに係る。特に、梱包箱を製作する手順に特徴のある品物梱包方法と品物梱包装置と品物梱包プログラムとに関する。
【背景技術】
【０００２】
製造メーカは、品物を梱包箱に梱包して流通させる。
梱包箱は、展開した展開部品を立体に組み立てて造られたものである。
品物は、その形状と寸法に合わせた寸法と形状を持った梱包箱に梱包される。
品物を多品種少量生産する場合には、多くの種類の寸法と形状を持った梱包箱を必要とする。
梱包箱に組み立てる展開部品は、板状材料（例えば、段ボール板）を所定の形状に切断して切りだされる。
従来、製造メーカは、品物の生産計画に従って、多種類の展開部品を予め準備している。多品種少量生産をする製造メーカでは、展開部品を保管するための専用倉庫をもっている。
製品は、製造工程の最終端で完成検査をうける。
完成検査に合格すると、品物に対応した展開部品を専用倉庫から運んできて、展開部品を立体に組み立てて梱包箱を作る。品物を梱包箱に梱包し出荷する。
【０００３】
従って、多くの展開部品を保管するために広い敷地面積の専用倉庫を用意している。
また、展開部品はロット生産されるために、例えば、１００個単位や１０００個単位の展開部品が専用倉庫に納入される。そのために、多くの期間、未使用の展開部品が在庫される。
また、長期に展開部品が在庫されるために、段ボール板が劣化して、展開部品として使用できなくなることがある。
【０００４】
【特許文献１】特開２００３−１７５９１８号
【発明の開示】
【発明が解決しようとする課題】
【０００５】
本発明は以上に述べた問題点に鑑み案出されたもので、簡易な手順で梱包箱に品物を梱包できる品物梱包方法と品物梱包装置と品物梱包プログラムとを提供しようとする。
【課題を解決するための手段】
【０００６】
上記目的を達成するため、本発明に係る展開した展開部品を組み立てて造られた梱包箱に品物を梱包するための品物梱包方法を、品物の完成検査を行なって合格を判定すると品物に対応する情報である品物情報を生成する完成検査工程と、前記品物情報に対応する展開部品を製作するためのデータである展開データを生成する展開データ生成工程と、前記展開データに基づいて板状材料から展開部品を製作する展開部品製作工程と、展開部品を組み立てて梱包箱を製作する梱包箱製作工程と、品物を梱包箱に梱包する品物梱包工程と、を備えるものとした。
【０００７】
上記本発明の構成により、完成検査工程が品物の完成検査を行なって合格を判定すると品物に対応する情報である品物情報を生成し、展開データ生成工程が前記品物情報に対応する展開部品を製作するためのデータである展開データを生成し、展開部品製作工程が前記展開データに基づいて板状材料から展開部品を製作し、梱包箱製作工程が展開部品を組み立てて梱包箱を製作し、品物梱包工程が品物を梱包箱に梱包するので、品物が完成検査に合格する毎に、品物に対応する梱包箱をつくるための展開部品を板状材料から製作し、展開部品から梱包箱を組み立てて、品物を梱包することをできる。
【０００８】
以下に、本発明のいくつかの実施形態を説明する。本発明は、以下に記載の実施形態のいずれか、またはそれらの中の二つ以上が組合わされた態様を含む。
【０００９】
さらに、本発明の実施形態に係る品物梱包方法は、前記品物情報に対応する印字をラベルに印刷するためのデータである印字データを生成する印字データ生成工程と、前記印字データに基づいてラベルに印刷するラベル印刷工程と、前記ラベルを梱包箱に貼るラベル貼り工程と、を備える。
上記実施形態の構成により、印字データ生成工程が前記品物情報に対応する印字をラベルに印刷するためのデータである印字データを生成し、ラベル印刷工程が前記印字データに基づいてラベルに印刷し、ラベル貼り工程が前記ラベルを梱包箱に貼るので、品物が完成検査に合格する毎に、品物に対応した印字を印刷されたラベルを貼られた梱包箱に、品物を梱包できる。
【００１０】
さらに、本発明の実施形態に係る品物梱包方法は、前記展開データに基づき板状材料を所定の形状に切断できるカッティング用プロッタを準備する準備する準備工程を、備え、前記展開データが板状材料を切断して展開部品を切り出す為に前記カッティング用プロッタに入力されるデータであり、前記展開部品製作工程で前記展開データを前記カッティング用プロッタに入力する。
上記実施形態の構成により、カッティング用プロッタが前記展開データに基づき板状材料を所定の形状に切断でき、前記展開データが板状材料を切断して展開部品を切り出す為に前記カッティング用プロッタに入力されるデータであり、前記展開部品製作工程で前記展開データを前記カッティング用プロッタに入力するので、品物が完成検査に合格する毎に、品物に対応する梱包箱をつくるための展開部品を板状材料から前記カッティング用プロッタで製作できる。
【００１１】
さらに、本発明の実施形態に係る品物梱包方法は、前記展開データに基づいて板状材料の複数の種類の中から選択された一つの種類を表示する板状材料種類表示方法を、備え、前記展開部品製作工程で前記一つの種類の板状材料を切断して展開部品を製作する。
上記実施形態の構成により、板状材料種類表示方法が前記展開データに基づいて板状材料の複数の種類の中から選択された一つの種類を表示し、前記展開部品製作工程で前記一つの種類の板状材料を切断して展開部品を製作するので、品物が完成検査に合格する毎に、品物に対応する梱包箱に適した板状材料から展開部品を製作できる。
【００１２】
上記目的を達成するため、本発明に係る展開した展開部品を組み立てて造られた梱包箱に品物を梱包するための品物梱包装置を、品物の完成検査を行なって合格を判定された品物に対応する情報である品物情報を生成する完成検査結果生成機器と、前記品物情報に対応する展開部品を製作するためのデータである展開データを生成する展開データ生成機器と、前記展開データに基づいて板状材料から展開部品を製作する展開部品製作機器と、
を備えるものとした。
【００１３】
上記本発明の構成により、完成検査結果生成機器が品物の完成検査を行なって合格を判定された品物に対応する情報である品物情報を生成し、展開データ生成機器が前記品物情報に対応する展開部品を製作するためのデータである展開データを生成し、展開部品製作機器が前記展開データに基づいて板状材料から展開部品を製作するので、品物が完成検査に合格する毎に、品物に対応する梱包箱をつくるための展開部品を板状材料から製作し、展開部品から梱包箱を組み立ることをできる。
【００１４】
以下に、本発明のいくつかの実施形態を説明する。本発明は、以下に記載の実施形態のいずれか、またはそれらの中の二つ以上が組合わされた態様を含む。
【００１５】
さらに、本発明の実施形態に係る品物梱包装置は、前記品物情報に対応する印字をラベルに印刷するためのデータである印字データを生成する印字データ生成機器と、前記印字データに基づいてラベルに印刷するラベル印刷機器と、を備える。
上記実施形態の構成により、印字データ生成機器が前記品物情報に対応する印字をラベルに印刷するためのデータである印字データを生成し、ラベル印刷機器が前記印字データに基づいてラベルに印刷するので、品物が完成検査に合格する毎に、品物に対応した印字を印刷されたラベルを貼られた梱包箱に、品物を梱包できる。
【００１６】
さらに、本発明の実施形態に係る品物梱包装置は、展開部品製作機器が前記展開データに基づいて板状材料を所定の形状に切断できるカッティング用プロッタを有し、前記展開データが板状材料を切断して展開部品を切り出す為に前記カッティング用プロッタに入力されるデータである。
上記実施形態の構成により、カッティング用プロッタが前記展開データに基づいて板状材料を所定の形状に切断でき、前記展開データが板状材料を切断して展開部品を切り出す為に前記カッティング用プロッタに入力されるデータであるので、品物が完成検査に合格する毎に、品物に対応する梱包箱をつくるための展開部品を板状材料から前記カッティング用プロッタで製作できる。
【００１７】
さらに、本発明の実施形態に係る品物梱包装置は、前記展開データに基づいて板状材料の複数の種類の中から選択された一つの種類を表示する板状材料種類表示機器を、備え、前記展開部品製作機器が前記一つの種類の板状材料を切断して展開部品を製作する。
上記実施形態の構成により、板状材料種類表示機器が前記展開データに基づいて板状材料の複数の種類の中から選択した一つの種類を表示し、前記展開部品製作機器が前記一つの種類の板状材料を切断して展開部品を製作するので、品物が完成検査に合格する毎に、品物に対応する梱包箱をつくるのに適した板状材料から展開部品を製作できる。
【００１８】
また上記目的を達成するため、本発明に係る展開した展開部品を組み立てて造られた梱包箱に品物を梱包するための品物梱包プログラムを、コンピュータに、品物の完成検査を行なって合格を判定された品物に対応する情報である品物情報を生成する完成検査結果生成機能と、前記品物情報に対応する展開部品を製作するためのデータである展開データを生成する展開データ生成機能と、前記展開データに基づいて板状材料から展開部品を製作する展開部品製作機能と、を実現させるものとした。
【００１９】
上記本発明の構成により、完成検査結果生成機能が品物の完成検査を行なって合格を判定された品物に対応する情報である品物情報を生成し、展開データ生成機能が前記品物情報に対応する展開部品を製作するためのデータである展開データを生成し、展開部品製作機能が前記展開データに基づいて板状材料から展開部品を製作するので、品物が完成検査に合格する毎に、品物に対応する梱包箱をつくるための展開部品を板状材料から製作し、展開部品から梱包箱を組み立ることをできる。
【００２０】
以下に、本発明のいくつかの実施形態を説明する。本発明は、以下に記載の実施形態のいずれか、またはそれらの中の二つ以上が組合わされた態様を含む。
【００２１】
さらに、本発明の実施形態に係る品物梱包プログラムは、前記品物情報に対応する印字をラベルに印刷するためのデータである印字データを生成する印字データ生成機能と、前記印字データに基づいてラベルに印刷するラベル印刷機能と、を実現させる。
上記実施形態の構成により、印字データ生成機能が前記品物情報に対応する印字をラベルに印刷するためのデータである印字データを生成し、ラベル印刷機能が前記印字データに基づいてラベルに印刷するので、品物が完成検査に合格する毎に、品物に対応した印字を印刷されたラベルを貼られた梱包箱に、品物を梱包できる。
【００２２】
さらに、本発明の実施形態に係る品物梱包プログラムは、前記展開部品製作機能が前記展開データに基づいて板状材料を所定の形状に切断できるカッティング用プロッタを制御する機能であって、前記展開データが板状材料を切断して展開部品を切り出す為に前記カッティング用プロッタに入力されるデータである。
上記実施形態の構成により、カッティング用プロッタが前記展開データに基づいて板状材料を所定の形状に切断でき、前記展開データが板状材料を切断して展開部品を切り出す為に前記カッティング用プロッタに入力されるデータであるので、品物が完成検査に合格する毎に、品物に対応する梱包箱をつくるための展開部品を板状材料から前記カッティング用プロッタで製作できる。
【００２３】
さらに、本発明の実施形態に係る品物梱包プログラムは、前記展開データに基づいて板状材料の複数の種類の中から選択された一つの種類を表示する板状材料種類表示機能を、
実現させ、前記展開部品製作機能が前記一つの種類の板状材料を切断して展開部品を製作する。
上記実施形態の構成により、板状材料種類表示機能が前記展開データに基づいて板状材料の複数の種類の中から選択された一つの種類を表示し、前記展開部品製作機能が前記一つの種類の板状材料を切断して展開部品を製作するので、品物が完成検査に合格する毎に、品物に対応する梱包箱をつくのに適した板状材料からた展開部品を製作できる。
【発明の効果】
【００２４】
以上説明したように本発明に係る品物梱包方法と品物梱包装置と品物梱包プログラムは、その構成により、以下の効果を有する。
品物が完成検査で合格すると、品物情報を生成し、前記品物情報に対応する展開データから展開部品を製作し、その展開部品を組み立てできた梱包箱に品物を梱包するので、品物が完成検査に合格する毎に、品物に対応する梱包箱をつくるための展開部品を板状材料から製作し、展開部品から梱包箱を組み立てて、品物を梱包することをできる。
また、品物情報に対応した印字データを生成して、前記印字データに基づいてラベルに印刷し、前記ラベルを梱包箱に貼るので、品物が完成検査に合格する毎に、品物に対応した印字を印刷されたラベルを貼られた梱包箱に、品物を梱包できる。
また、前記展開データを入力して前記カッティング用プロッタにより板状材料から前記展開部品を切りだすので、品物が完成検査に合格する毎に、品物に対応する梱包箱をつくるための展開部品を板状材料から前記カッティング用プロッタで製作できる。
また、前記展開情報を基に板状材料の複数の種類の中から一つの種類を選定して表示し、前記一つの種類の板状材料を切断して展開部品を製作するので、品物が完成検査に合格する毎に、品物に対応する梱包箱に適した板状材料から展開部品を製作できる。
従って、簡易な手順で梱包箱に品物を梱包できる品物梱包方法と品物梱包装置と品物梱包プログラムとを提供できる。
【発明を実施するための最良の形態】
【００２５】
以下、本発明を実施するための最良の形態を、図面を参照して説明する。
【００２６】
図１は、本発明の実施形態に係る品物梱包装置の概念図である。図２は、本発明の実施形態に係る品物梱包装置の機能ブロック図である。図３は、本発明の実施形態に係る品物梱包方法のフローチャート図である。図４は、本発明の実施形態に係る展開部品の種類図である。図５は、本発明の実施形態に係る板状材料の種類図である。
【００２７】
品物梱包装置は、展開した展開部品２１を組み立てて造られた梱包箱２０に品物１０を梱包して出荷するための装置であって、完成検査結果生成機器と展開データ生成機器と展開部品製作機器と印字データ生成機器とラベル印刷機器と板状材料種類表示機器とで構成される。
品物１０は、製造を完了した後で、完成検査ライン１１で完成検査をされる。
完成検査ライン１１で合格を判定されると、品物１０は、出荷ライン１２へ送られる。
製造を管理する生産管理シートが、品物１０に添付される。生産管理シートには、品物情報に対応した管理用コードがバーコードとして印刷されている。
例えば、品物梱包装置が、バーコードリーダ３０とコンピュータ４０とプリンタ５０とカッティング用プロッター６０とで構成する場合を例に、説明する。
コンピュータは、ＣＰＵと内部メモリと外部メモリとインターフェースで構成され、内部メモリに格納されたプログラムに従って作動するノイマン型電子計算機である。
例えば、コンピュータ４０は、パソコン、ワークステーション等である。
カッティング用プロッター６０は、板状材料を真空チャックできる作業面を持った作業台と作業面の上をＸ方向へ移動するＹバーとＹバーに支持されてｙ方向に移動可能になり加工工具を備えたキャリッジとで構成される機器である。キャリッジは、ペン、カッター、筋折り具、その他のひとつまたは複数の加工工具を装着できる。段ボール、布、皮、樹脂板等の平面材を任意の形状に切断し、段ボール箱、ガスケット、アパレル、サインディスプレイ等を生産するのに適した機器である。
【００２８】
完成検査結果生成機器は、品物の完成検査を行なって合格を判定された品物に対応する情報である品物情報を生成する機器である。
例えば、完成検査結果生成機器は、バーコードリーダ３０とコンピュータ４０とで実現される。バーコードリーダ３０は、コンピュータ４０により制御されて、品物に添付された製造管理シートに印刷されたバーコードを読み取り、バーコードから品物情報を生成することをできる機器である。
また、例えば、完成検査結果生成機器は、ＩＣリーダ３０とコンピュータ４０とで構成される。ＩＣリーダは、コンピュータ４０に制御されて、品物に添付されたＩｃタグから品物情報を読み取る。
例えば、品物情報は品物とその管理情報を特定するためのデジタルデータである。
【００２９】
展開データ生成機器は、品物情報に対応する展開部品を製作するためのデータである展開データを生成する機器である。
例えば、展開データ生成機器は、コンピュータ４０で実現される。
コンピュータ４０は、複数の種類の展開データを格納したデータベースから品物情報に対応した展開データを検索し、該当する展開データを生成する。
例えば、展開データは、板状材料を切断して展開部品を切り出す為にカッティング用プロッタ６０に入力されるデータである。
また、例えば、コンピュータ４０は、複数の種類の設計データを格納したデータベースから品物情報に対応した設計データを検索し、設計データと品物情報とから該当する展開データを生成する。この場合、設計データは、パラメトリック設計をおこなうデータであり、品物情報は、設計データの変数に入力するパラメータを含んでいる。
【００３０】
展開部品製作機器は、展開データに基づいて板状材料から展開部品を製作する機器である。
例えば、展開部品製作機器は、コンピュータ４０とカッティング用プロッタ６０とで実現される。  
カッティング用プロッタ６０は、コンピュータ４０から入力される展開データに基づいて、板状材料を切断して展開部品を切りだす。
図４は、展開部品の複数の例をしめしている。
展開部品２１には、一個取り２１ａ、１／２個取り２１ｂ、２個取り２１ｃ、４個取り２１ｄ、補材付き２１ｅ、手掛け付き２１ｆ、上蓋付き２１ｇ等がある。
【００３１】
印字データ生成機器は、品物情報に対応する印字をラベルに印刷するためのデータである印字データを生成する機器である。
例えば、印字データ生成機器は、コンピュータ４０で実現される。
例えば、コンピュータ４０は、予め記録されたテンプレートと品物情報とを組合わせて、印字データを生成する。
また、例えば、コンピュータ４０は、記憶された印字フォーマットで表現された印字データのデータベースの中から、品物情報により特定される印字データを抽出する。
印字データは、プリンタに入力されラベルに印字を印刷するデータである。
【００３２】
ラベル印刷機器は、印字データに基づいてラベルに印刷する機器である。
ラベル印刷機器は、コンピュータ４０とプリンタ５０で実現される。
プリンタ５０は、コンピュータ４０から入力される印字データに基づいて、ラベルに印字を印刷する。
【００３３】
板状材料種類表示機器は、展開データに基づいて板状材料の複数の種類の中から選択された一つの種類を表示する機器である。
板状材料種類表示機器は、コンピュータ４０とモニタ４２とで実現される。
モニタ４２は、コンピュータ４０に制御されて、板状材料の一つの種類を表示する。
例えば、一つの種類は、材質と寸法とで特定される。
図５は、板状材料の材質と寸法の一例を示す。
【００３４】
次に、本発明の実施形態に係る品物梱包プログラムを説明する。
品物梱包プログラムは、展開した展開部品を組み立てて造られた梱包箱に品物を梱包して出荷するためのプログラムであって、コンピュータに完成検査結果生成機能Ｆ１０と展開データ生成機能Ｆ２０と展開部品製作機能Ｆ３０と印字データ生成機能Ｆ４０とラベル印刷機能Ｆ５０と板状材料種類表示機能Ｆ６０とを実現させる。
【００３５】
完成検査結果生成機能Ｆ１０は、品物の完成検査を行なって合格を判定された品物に対応する情報である品物情報を生成する機能である。
【００３６】
展開データ生成機能Ｆ２０は、品物情報に対応する展開部品を製作するためのデータである展開データを生成する機能である。
例えば、展開データは、板状材料を切断して展開部品を切り出す為にカッティング用プロッタに入力されるデータである。
例えば、展開データのデータベースのなかから品物情報で特定される展開データを抽出する。
【００３７】
展開部品製作機能Ｆ３０は、展開データに基づいて板状材料から展開部品を製作する機能である。
例えば、展開部品製作機能Ｆ３０は、入力された展開データに基づいて板状材料を所定の形状に切断できるカッティング用プロッターを制御する機能である。
【００３８】
印字データ生成機能Ｆ４０は、品物情報に対応する印字をラベルに印刷するためのデータである印字データを生成する機能である。
【００３９】
ラベル印刷工程Ｓ５０は、印字データに基づいてラベルに印刷する工程である。
プリンタ５０が、印字データに基づいて、ラベルを印刷する。
【００４０】
板状材料種類表示機能Ｆ６０は、展開データに基づいて板状材料の複数の種類の中から選択した一つの種類を表示する機能である。
展開部品製作機能Ｆ３０が、板状材料種類表示機能Ｆ６０が示す一つの種類の板状材料を切断して展開部品を製作する。
【００４１】
次に、本発明の実施形態に係る品物梱包方法を、図を基に、説明する。
品物梱包方法は、展開した展開部品を組み立てて造られた梱包箱に品物を梱包して出荷する方法であって、完成検査工程Ｓ１０と展開データ生成工程Ｓ２０と板状材料種類表示工程Ｓ３０と板状材料セット工程Ｓ３５と展開部品製作工程Ｓ４０と印字データ生成工程Ｓ５０とラベル印刷工程Ｓ６０とラベル貼り工程Ｓ７０と梱包箱製作工程Ｓ８０と品物梱包工程Ｓ９０とで構成される。
説明の容易のため、上述した品物梱包装置をもちいた例で、説明する。
【００４２】
完成検査工程Ｓ１０は、品物の完成検査を行なって合格を判定すると品物に対応する情報である品物情報を生成する工程である。
品物１０が完成検査ライン１１を流れる。
品物が、完成検査ライン１１に移動してくると、完成検査員が、品物の完成検査をおこない、合格または不合格を判定する。合格の判定をすると、完成検査員が、生産管理シートに印刷されたバーコードをバーコードリーダ３０で読み取る。
バーコードに対応した管理コードがコンピュータ４０にとり込まれる。
管理コードは、品物に対応する品物情報を含んでいる。例えば、品物情報は、品物の型番号を含んでいる。
品物１０を出荷ライン１２へ送る。
【００４３】
展開データ生成工程Ｓ２０は、品物情報に対応する展開部品を製作するためのデータである展開データを生成する工程である。
品物情報がコンピュータ４０に入力されると、コンピュータ４０は外部記憶装置に記録された展開データのデータベースから品物情報に関連づけられた特定の展開データを抽出する。
例えば、展開データは、板状材料を切断して展開部品を切り出す為にカッティング用プロッタ６０に入力されるデータである。
カッティング用プロッタ６０は、板状材料を所定の形状に切断できる機器である。
【００４４】
板状材料種類表示工程Ｓ３０は、展開データに基づいて板状材料の複数の種類の中から選択した一つの種類を表示する工程である。
例えば板状材料の種類は、材質と寸法で特定される。
材質と寸法とがコンピュータ４０のモニタ４２に表示される。
複数の種類の板状材料が、倉庫に種類毎に区分けされて保存される。
【００４５】
板状材料セット工程Ｓ３５は、表示された種類の板状材料をカッテイング用プロッタにセットする工程である。
例えば、操作員は、モニタ４２に表示された板状材料の種類を確認し、該当する種類の板状材料２２を倉庫から引き出し、カッティング用プロッタ６０にセットする。その結果、次の展開部品製作工程でＳ４０一つの種類の板状材料を切断して展開部品を製作する。
【００４６】
展開部品製作工程Ｓ４０は、展開データに基づいて板状材料から展開部品を製作する工程である。
例えば、展開データがカッティング用プロッタ６０にコンピュータ４０から入力される。
カッティング用プロッタ６０は、展開データに従って、板状材料２２を切断し、展開部品２１を切りだす。
【００４７】
印字データ生成工程Ｓ５０は、品物情報に対応する印字をラベルに印刷するためのデータである印字データを生成する工程である。
例えば、印字は、出荷のための管理情報である。例えば、管理情報は、品物の型番や出荷先等である。
【００４８】
ラベル印刷工程Ｓ６０は、印字データに基づいてラベルに印刷する工程である。
例えば、印字データがプリンタ５０にコンピュータ４０から入力される。
プリンタ５０がラベルに印字を印刷する。
【００４９】
ラベル貼り工程Ｓ７０は、ラベルを梱包箱に貼る工程である。
例えば、操作員が、プリンタ５０の印刷したラベルを梱包箱２０に貼る。
また例えば、操作員が、プリンタ５０の印刷したラベルを展開部品２１に貼る。
【００５０】
梱包箱製作工程Ｓ８０は、展開部品２１を組み立てて梱包箱２０を製作する工程である。
例えば、操作員が、展開部品を立体に組み立てて梱包箱２０を造る。
【００５１】
品物梱包工程Ｓ９０は、品物１０を梱包箱２０に梱包する工程である。
例えば、操作員が品物１０を梱包箱２０に梱包し、出荷ライン１７へ送る。
梱包箱２０に梱包された品物１０が出荷される。
【００５２】
上述の実施形態に係る品物梱包方法と品物梱包装置と品物梱包プログラムを用いれば、以下の効果を発揮する。
品物の完成検査を行なって、完成検査に合格すると、バーコードリーダ３０により品物の生産管理シートのバーコードから品物情報を生成する。コンピュータ４０が、その品物情報を受け取ると、品物情報に関連づけられた展開データをカッティング用プロッタ６０に送る。カッティング用プロッタ６０が、展開データに基づいて、板状材料を切断して展開部品を切り出す。操作員が、展開部品を立体に組み立て梱包箱を作り、品物を梱包箱２０に梱包して出荷準備が完了する。その結果、予め複数の種類の展開部品を用意する必要がなくなるので、倉庫スペースを劇的に節約できる。また、複数の種類の展開部品を長期保管する必要がなくなる。
また、品物情報に対応する印字をラベルに印刷する印字データを生成し、プリンタ５０によりラベルに印字を印刷する。その印刷されたラベルを梱包箱に貼り付ける。その結果、予めラベルを貼り付けた展開部品を保管する必要がなくなり、倉庫スペースを劇的に節約できる。
また、展開部品をカッティング用プロッタにより製造するので、多品種少量生産される品物に適した品物梱包をすることをできる。
また、展開データに基づいて板状材料の種類を決定し、板状材料の種類をモニタ４２に表示し、その種類の板状材料から展開部品を製造するので、品物の大きさや重量に適した板状材料を用いて梱包箱を製造することをできる。
また、完成検査を合格してから展開部品とラベルとを製造するまでをコンピュータで制御しておこない、作業員が、選定した板状材料２２をカッティング用プロッタ６０にセットし、でき上がった展開部品２１をカッティング用プロッタ６０から外して、梱包箱に組み立てて市品物を梱包する様にしたので、多品種少量生産の品物の梱包と出荷を少ないスペースで行なうことをできる。
【００５３】
本発明は以上に述べた実施形態に限られるものではなく、発明の要旨を逸脱しない範囲で各種の変更が可能である。
完成検査結果生成機器と展開データ生成機器と展開部品製作機器と印字データ生成機器とラベル印刷機器と板状材料種類表示機器をバーコードリーダ３０とコンピュータ４０とプリンタ５０とで構成されたものである例で説明したがこれに限定されず、例えば、各々専用自動機械で構成してもよい。
また、梱包箱製作工程と品物梱包工程とを作業員の人手でおこなう例で説明したがこれに限定されず、例えば、専用自動機械でおこなってもよい。
【図面の簡単な説明】
【００５４】
【図１】本発明の実施形態に係る品物梱包装置の概念図である。
【図２】本発明の実施形態に係る品物梱包装置の機能ブロック図である。
【図３】本発明の実施形態に係る品物梱包方法のフローチャート図である。
【図４】本発明の実施形態に係る展開部品の種類図である。
【図５】本発明の実施形態に係る板状材料の種類図である。
【符号の説明】
【００５５】
１０  品物
１１  完成検査ライン
１２  出荷ライン
２０  梱包箱
２１  展開部品
２２  板状材料
３０  バーコードリーダ
４０  コンピュータ
４１  コンピュータ本体
４２  モニタ
５０  プリンタ
６０  カッティング用プロッタ
Ｓ１０  完成検査工程
Ｓ２０  展開データ生成工程
Ｓ３０  板状材料種類表示工程
Ｓ３５  板状材料セット工程
Ｓ４０  展開部品製作工程
Ｓ５０  印字データ生成工程
Ｓ６０  ラベル印刷工程
Ｓ７０  ラベル貼り工程
Ｓ８０  梱包箱製作工程
Ｓ９０  品物梱包工程
Ｆ１０  完成検査結果生成機能
Ｆ２０  展開データ生成機能
Ｆ３０  展開部品製作機能
Ｆ４０  印字データ生成機能
Ｆ５０  ラベル印刷機能
Ｆ６０  板状材料種類表示機能
【図１】
2006248575.tif 000003
【図２】
2006248575.tif 000004
【図３】
2006248575.tif 000005
【図４】
2006248575.tif 000006
【図５】
2006248575.tif 000007